(57)【特許請求の範囲】
【請求項１】
内蔵ＲＡＭに格納された表示用データを画面表示するＲＡＭ内蔵型ディスプレイドライバにして、
表示画面に表示される表示用データを格納するＲＡＭ（Random Access Memory）と、
前記ＲＡＭから読み出された表示用データを入力し、前記表示画面を水平方向にスクロールさせる場合はスクロール方向に応じて読み出された前記表示用データをシフトし、前記表示画面を垂直方向にスクロールさせる場合には読み出された前記表示用データを保持するラッチシフトレジスタと、
前記ＲＡＭから表示用データを読み出すとともに、前記表示画面を水平方向にスクロールさせる場合は前記ラッチシフトレジスタによりシフトされた表示用データを前記ＲＡＭの元の位置に書き戻し、前記表示画面を垂直方向にスクロールさせる場合には前記ラッチシフトレジスタにより保持された表示用データを前記ＲＡＭの元の位置からスクロール量分移動した位置に書き戻すアクセス制御回路と、
前記ＲＡＭの１ドットラインと同じビット数を有するシフトレジスタからなり、表示画面におけるスクロール可能な水平方向の領域をビット単位で選択する第１の選択回路を具備し、
前記アクセス制御回路は、前記第１の選択回路により選択された領域の表示用データを前記ラッチシフトレジスタに供給すると共に、前記ラッチシフトレジスタによりシフトされた表示用データを前記ＲＡＭに書き戻す
ことを特徴とするＲＡＭ内蔵型ディスプレイドライバ。
【請求項２】
前記アクセス制御回路は、
表示画面を垂直下方向にスクロールさせる場合に、前記ＲＡＭから表示用データをシリアルに読み出す方向を、表示画面を垂直上方向にスクロールさせる場合と逆方向に切り替える切り替え回路を具備する
ことを特徴とする請求項１に記載のＲＡＭ内蔵型ディスプレイドライバ。
【請求項３】
上記ＲＡＭ内蔵型ディスプレイドライバは、さらに、
表示画面におけるスクロール可能な垂直方向の領域を選択する第２の選択回路を具備し、
前記アクセス制御回路は、前記第２の選択回路により選択された領域の表示用データを前記ラッチシフトレジスタに供給する
ことを特徴とする請求項１または２に記載のＲＡＭ内蔵型ディスプレイドライバ。
【請求項４】
前記第２の選択回路は、スクロールさせるべき垂直方向の領域を指定するアドレスの値と、選択された前記ＲＡＭの垂直方向のアドレスを示すアドレスカウンタの内容とを比較する比較回路を具備する
ことを特徴とする請求項３に記載のＲＡＭ内蔵型ディスプレイドライバ。
【請求項５】
前記表示画面は、ＬＣＤ(Liquid Crystal Display)である
ことを特徴とする請求項１乃至４のいずれか記載のＲＡＭ内蔵型ディスプレイドライバ。
【請求項６】
内蔵ＲＡＭに格納された表示用データを画面表示する画像表示装置にして、
ディスプレイと、
前記ディスプレイを駆動する、請求項１乃至５のいずれか記載のディスプレイドライバと、
画面を制御する信号を前記ディスプレイドライバに供給するＣＰＵとを具備する
ことを特徴とする画像表示装置。
【発明の詳細な説明】
【０００１】
【発明の属する技術分野】
本発明は、表示画面制御における負荷を軽減するＲＡＭ内蔵型ディスプレイドライバ及びそのディスプレイドライバを搭載する画像表示装置に関する。特に、例えばＬＣＤなどの、ＲＡＭ（ランダム・アクセス・メモリ）に一旦記憶されたデータを画面表示する画像表示装置において、システムのＣＰＵの負荷を増大させることなく、表示画面の簡易かつ柔軟なスクロール等の表示制御を実現するための技術に関する。
【０００２】
【従来の技術】
従来、内蔵ＲＡＭ（Random Access Memory）に一旦記憶されたデータを、機器のディスプレイ上に表示する液晶表示装置などの画像表示装置が知られている。この画像表示装置において、表示画面のスクロールは、液晶表示装置を含むシステムのＣＰＵにより行われていた。
【０００３】
しかし、特に、携帯電話などの携帯端末機器において、ＣＰＵが動作させるべき機能は元来多い上、さらに表示画面のカラー化などによりＣＰＵがすべき動作は増加する傾向にあり、結果ＣＰＵの負荷は重くなる一方であった。
【０００４】
このように、従来の画像表示装置においては、システムのＣＰＵが表示画面のスクロールなどの表示制御を行っていた。このため、システムのＣＰＵの負担が重くなり、画像表示以外の処理に費やす時間が短くなってしまう、あるいは画像表示以外の処理が遅くなるといった不具合を招いていた。また、システムのＣＰＵに求められる能力が高まるため、ＣＰＵの開発コストが増大するといった不具合を招いていた。
【０００５】
【発明が解決しようとする課題】
本発明は、上記の技術的課題を解決するためになされたものであってその目的は、内蔵ＲＡＭ（Random Access Memory）に一旦記憶されたデータを、機器のディスプレイ上に表示する液晶表示装置などの画像表示装置において、液晶等のディスプレイを駆動するシステムドライバにより表示画面をスクロールすることにより、システムのＣＰＵの画像表示制御にかかる負担を低減したＲＡＭ内蔵型ディスプレイドライバ及びこのディスプレイドライバを搭載した画像表示装置を提供することにある。
【０００６】
本発明の他の目的は、液晶等のディスプレイを駆動するシステムドライバにより、表示画面の垂直方向および水平方向のスクロールを簡易かつ柔軟に実現することにある。
【０００７】
【課題を解決するための手段】
本発明のある特徴によれば、内蔵ＲＡＭに格納された表示用データを画面表示するＲＡＭ内蔵型ディスプレイドライバにして、表示画面に表示される表示用データを格納するＲＡＭ(Random Access Memory)と、前記ＲＡＭから読み出された表示用データを入力し、前記表示画面を水平方向にスクロールさせる場合はスクロール方向に応じて読み出された前記表示用データをシフトし、前記表示画面を垂直方向にスクロールさせる場合には読み出された前記表示用データを保持するラッチシフトレジスタと、前記ＲＡＭから表示用データを読み出すとともに、前記表示画面を水平方向にスクロールさせる場合は前記ラッチシフトレジスタによりシフトされた表示用データを前記ＲＡＭの元の位置に書き戻し、前記表示画面を垂直方向にスクロールさせる場合には前記ラッチシフトレジスタにより保持された表示用データを前記ＲＡＭの元の位置からスクロール量分移動した位置に書き戻すアクセス制御回路とを具備することを特徴とするＲＡＭ内蔵型ディスプレイドライバが提供される。
【０００８】
本発明の他の特徴によれば、前記アクセス制御回路は、表示画面を垂直下方向にスクロールさせる場合に、前記ＲＡＭから表示用データをシリアルに読み出す方向を、表示画面を垂直上方向にスクロールさせる場合と逆方向に切り替える切り替え回路を具備する。
【０００９】
本発明の他の特徴によれば、上記ＲＡＭ内蔵型ディスプレイドライバは、さらに、表示画面におけるスクロール可能な水平方向の領域を選択する第１の選択回路を具備し、前記アクセス制御回路は、前記第１の選択回路により選択された領域の表示用データを前記ラッチシフトレジスタに供給する。
【００１０】
本発明の他の特徴によれば、上記ＲＡＭ内蔵型ディスプレイドライバは、さらに、表示画面におけるスクロール可能な垂直方向の領域を選択する第２の選択回路を具備し、前記アクセス制御回路は、前記第２の選択回路により選択された領域の表示用データを前記ラッチシフトレジスタに供給する。
【００１１】
本発明の他の特徴によれば、前記第１の選択回路は、前記ＲＡＭの１ドットラインと同じビット数のシフトレジスタを具備する。
【００１２】
本発明の他の特徴によれば、前記第２の選択回路は、スクロールさせるべき垂直方向のアドレスの値と、選択された前記ＲＡＭの垂直方向のアドレスを示すアドレスカウンタの内容とを比較する比較回路を具備する。
【００１３】
本発明の他の特徴によれば、前記表示画面は、LCD（Liquid Crystal Display）である。
【００１４】
本発明の他の特徴によれば、内蔵ＲＡＭに格納された表示用データを画面表示する画像表示装置にして、ディスプレイと、前記ディスプレイを駆動するディスプレイドライバと、画面を制御する信号を前記ディスプレイドライバに供給するＣＰＵとを具備し、前記ディスプレイドライバは、表示画面に表示される表示用データを格納するＲＡＭ(Random Access Memory)と、前記ＲＡＭから読み出された表示用データを入力し、前記表示画面を水平方向にスクロールさせる場合はスクロール方向に応じて読み出された前記表示用データをシフトし、前記表示画面を垂直方向にスクロールさせる場合には読み出された前記表示用データを保持するラッチシフトレジスタと、前記ＲＡＭから表示用データを読み出すとともに、前記表示画面を水平方向にスクロールさせる場合は前記ラッチシフトレジスタによりシフトされた表示用データを前記ＲＡＭの元の位置に書き戻し、前記表示画面を垂直方向にスクロールさせる場合には前記ラッチシフトレジスタにより保持された表示用データを前記ＲＡＭの元の位置からスクロール量分移動した位置に書き戻すアクセス制御回路とを含むことを特徴とする画像表示装置が提供される。
【００１５】
【発明の実施の形態】
以下、本発明に係るＲＡＭ内蔵型ディスプレイドライバ、及びそのディスプレイドライバを搭載する画像表示装置を、図１から図８を参照して詳細に説明する。
【００１６】
第１の実施形態
以下、本発明に係るＲＡＭ内蔵型ディスプレイドライバ、及びそのディスプレイドライバを搭載する画像表示装置の第一の実施形態を、図１から図５を参照して詳細に説明する。
【００１７】
第１の実施形態は、内蔵ＲＡＭ（Random Access Memory）に一旦記憶された表示用データを機器のディスプレイ上に表示する液晶表示装置などの画像表示装置において、液晶等のディスプレイを駆動するシステムドライバ内で、内蔵ＲＡＭに記憶された表示用データをスクロール方向にシフトあるいはラッチし、スクロール量に応じてＲＡＭ内に書き戻された表示用データを、ディスプレイに出力表示する機能を提供する。
【００１８】
図１は、本発明の第１の実施形態に係るＲＡＭ内蔵型ディスプレイドライバ及びこれを搭載する画像表示装置の構成を示す図である。
【００１９】
図１において、第１の実施形態に係る画像表示装置は、システムドライバ１０と、例えばＬＣＤ（液晶表示装置）からなる表示部２０と、システム内に搭載され、システムドライバ１０に画面制御用の信号を供給して表示部２０に表示用データを表示させるＣＰＵ３０とを具備する。
【００２０】
システムドライバ１０は、内蔵ＲＡＭ(Random Access memory)１２と、Ｚカウンタ１３と、ラッチシフトレジスタ１４と、アクセス制御回路１５と、切替回路１６とを具備する。
【００２１】
内蔵ＲＡＭ１２は、例えばＬＣＤ（液晶表示装置）からなる表示部２０の表示画面に表示させるべき表示用データを格納する。
【００２２】
Ｚカウンタ１３は、アクセス制御回路１５からの制御信号に基づいて、表示部２０の１ドットラインに対応した表示用データを内蔵ＲＡＭ１２から同期して読み出す。
【００２３】
ラッチシフトレジスタ（Latch Shift Register：以下、単に「シフトレジスタ」と称する）１４は、内蔵ＲＡＭ１２との間で表示用データを入出力し、表示用データを保持あるいはシフトする。
【００２４】
アクセス制御回路１５は、ＣＰＵ３０からの画面制御信号、例えば表示画面の所定量のスクロールを指示する信号に基づいて、表示画面のスクロール量に応じて内蔵ＲＡＭ１２から表示用データを順次読み出すとともに、シフトレジスタ１４でシフトあるいは保持された表示用データを、再び内蔵ＲＡＭ１２に書き戻す。アクセス制御回路１５は、さらに、内蔵ＲＡＭ１２に書き戻された表示用データを、表示部２０に供給する。
【００２５】
切替回路１６は、表示画面の上下のスクロール方向（垂直方向；図１においてＸ方向）に対応して内蔵ＲＡＭ１２からのデータの読み出し順序を切り替える。
【００２６】
次に、第１の実施形態に係るシステムドライバの、画面制御動作を、画面スクロールを例として以下に説明する。
【００２７】
（１）横方向（水平方向；Ｙ方向）スクロール
図２は、第１の実施形態に係るシステムドライバの、表示画面の横方向スクロールの動作を説明する。
【００２８】
図１、図２に示すように、アクセス制御回路１５は、まず内蔵ＲＡＭ１２に表示用データを格納する。次に、アクセス制御回路１５は、内蔵ＲＡＭ１２のデータをアドレスＸＡＤ０（もしくはＸＡＤｉ）から１ドットライン毎に読み出し（スキャンし）、シフトレジスタ１４に供給する。
【００２９】
読み出された表示用データは、アクセス制御回路１５により与えられるシフト量およびシフト方向を示す信号に従って、シフトレジスタ４により横方向にスクロールする分だけ左方向もしくは右方向にシフトされる。なお、アクセス制御回路１５は、システムのＣＰＵ３０から与えられる所定量かつ横方向のスクロールを指示するスクロール制御信号に基づいて、シフトレジスタ１４にシフト量およびシフト方向を示す信号を供給する。シフトされた表示用データは、アクセス制御回路１５により、内蔵ＲＡＭ１２中の読み出されたのと同一のラインに書き戻される。
【００３０】
なお、図２において、内蔵ＲＡＭ１２中で、ＹＡＤ０から右方向にあるいはＹＡＤｊから左方向にシフトした数分のドットには、”０”あるいは”１”を埋め込んでもよく、あるいはシステムのＣＰＵ３０から当該ドットのみに新たにデータを書き込んでもよい。
【００３１】
上記の動作が、Ｘアドレスの０→ｉもしくはｉ→０の順に、１ドットラインずつ全ラインに対して行われる。このようにして内蔵ＲＡＭ１２に再書き込みされたデータは、アクセス制御回路１５により、表示部２０に与えられて画面表示され、元の表示画面に対して横方向にスクロールされた画面が表示部２０に表示される。
【００３２】
（２）縦方向（垂直方向；Ｘ方向）スクロール
図３から図５は、第１の実施形態に係るシステムドライバの、表示画面の縦方向スクロールの動作を説明する。
【００３３】
まず、表示画面の上方向スクロールを説明する。
【００３４】
図３Ａ、Ｂに示すように、表示画面を上方向へスクロールする場合には、アクセス制御回路１５は、内蔵ＲＡＭ１２に格納された表示画面の１ドットライン分の表示用データを読み出して（スキャンして）シフトレジスタ１４に供給する。シフトレジスタ１４は、読み出された１ドットライン分の表示用データを保持する。
【００３５】
シフトレジスタ１４に保持された表示用データは、アクセス制御回路１５により、読み出したＸアドレスから上方向にスクロールさせたい分移動した位置の内蔵ＲＡＭ１２中のＸアドレスに書き戻される。なお、アクセス制御回路１５は、システムのＣＰＵ３０から与えられる所定量かつ縦上方向のスクロールを指示するスクロール制御信号に基づいて、内蔵ＲＡＭ１２への表示用データの書き戻しＸアドレスを決定する。
【００３６】
上記の動作が、内蔵ＲＡＭ１２のアドレスＸＡＤ０からＸＡＤｉの順に、Ｘアドレスの全ラインにおいて行われる。このようにして内蔵ＲＡＭ１２に再書き込みされたデータは表示部２０に与えられて画面表示され、元の表示画面に対して上方向へスクロールされた画面が表示される。
【００３７】
次に、表示画面の下方向スクロールを説明する。
【００３８】
表示画面を下方向へスクロールさせる場合には、上方向のスクロールの場合と同様に内蔵ＲＡＭ１２のアドレスＸＡＤ０からＸＡＤｉの順にスキャンして、アドレスＸＡＤ０の１ラインの表示用データから、アドレスＸＡＤｉの１ラインの表示用データを順次内蔵ＲＡＭ１２内で移動させてしまうと、表示すべきデータを上書きしてしまう。
【００３９】
すなわち、図４に示すように、例えばラインａのデータがラインｄに移動しラインｄのデータが移動する前にラインｄのデータが上書きされてしまい、ラインｄのデータをスクロールさせることができなくなる。ラインｅ、ｆ、ｇにおいても同様である。
【００４０】
第１の実施形態は、このような不具合を回避するために、下方向へのスクロールの場合には、上方向のスクロールとは逆方向に、内蔵ＲＡＭ１２からの表示用データの読み出し方向（スキャン方向）をＲＡＭ１２のアドレスＸＡＤｉからＸＡＤ０の順に行う。具体的には、システムのＣＰＵ３０から入力されるスクロール方向を指示する信号に基づいて、スクロール方向が下方向である場合には、切替回路１６は、アクセス制御回路１５が実行する内蔵ＲＡＭ１２のスキャン方向を切り換える。
【００４１】
したがって、下方向へのスクロールでは、切替回路１６からの指示に基づいて、アクセス制御回路１５は、内蔵ＲＡＭ１２をスキャンする方向を切り替え、その他は上方向のスクロールの場合と同様、上記したとおりにアクセス制御回路１５は動作する。これにより、下方向へのスクロールが正確に行われる。
【００４２】
第１の実施形態によれば、以下の効果が得られる。
【００４３】
すなわち、アクセス制御回路１５は、内蔵ＲＡＭ１２から表示用データを読み出してシフトレジスタ１４に供給し、表示画面を横方向にスクロールさせる場合はシフトレジスタ１４によりシフトされた表示用データを内蔵ＲＡＭ１２の読み出しＸアドレスに書き戻す一方、表示画面を縦方向にスクロールさせる場合にはシフトレジスタ１４により保持された表示用データを内蔵ＲＡＭ１２の読み出しＸアドレスからシフト量分移動させたＸアドレスに書き戻す。内蔵ＲＡＭ１２に書き戻された表示用データは、アクセス制御回路１５により、表示画面に供給され、表示される。
【００４４】
一旦内蔵ＲＡＭ１２にスクロール後の表示用データを書き戻し、書き戻された表示用データが表示されるので、シフトレジスタ１４内でシフト操作後直接表示画面に供給する場合と比較して、ディスプレイドライバ１０内のシフトレジスタ１４の負荷を軽減することができる。同時に、縦方向のスクロールの他、横方向のスクロールも簡易に実現できる。
【００４５】
これにより、液晶表示画面などの表示画面の多様なスクロールを、ディスプレイドライバの機能として実現することが可能となり、表示画面を駆動する際のＣＰＵの負荷を低減することが可能となる。
【００４６】
第２の実施形態
以下、本発明に係るＲＡＭ内蔵型ディスプレイドライバ及びそのディスプレイドライバを搭載する画像表示装置の第２の実施形態を、第１の実施形態と異なる点についてのみ、図６から図８を参照して詳細に説明する。
【００４７】
第２の実施形態は、第１の実施形態に係るＲＡＭ内蔵型ディスプレイドライバと比較して、さらに横方向および縦方向に表示画面の一部を選択的にスクロールさせる部分的スクロールの機能を提供する。
【００４８】
図６は、本発明の第２の実施形態に係るＬＣＤのＲＡＭ内蔵型システムドライバの構成を示す図である。
【００４９】
図６に示すように、第２の実施形態に係るＲＡＭ内蔵型ディスプレイドライバ１００は、図１に示す第１の実施形態の構成と比較して、さらに選択回路１０１、比較回路１０２及びレジスタ１０３、１０４を備えて構成される。
【００５０】
選択回路１０１は、表示画面２０におけるスクロールさせたい横方向の領域を選択指定する。アクセス制御回路１５０は、選択回路１０１により選択指定された横方向の領域の表示用データを、シフトレジスタ１４でシフトさせて内蔵ＲＡＭ１２に書き戻す。選択回路１０１は、例えば、図７に示すように内蔵ＲＡＭ１２の１ラインと同じビット数（ｊ＋１）のシフトレジスタからなる。
【００５１】
比較回路１０２は、Ｚカウンタ１３ならびにレジスタ１０４とともに表示画面２０におけるスクロールさせたい縦方向の領域を選択指定する選択回路として機能する。
【００５２】
（１）横方向の部分スクロール
図７に示すように、レジスタ１０３から選択領域を指定する例えば“１”と非選択領域を指定する例えば“０”のデータが、レジスタ１０３から選択回路１０１にシリアルに入力されて設定される。
【００５３】
次に、“１”がセットされた選択回路１０１に対応する内蔵ＲＡＭ１２のＹアドレスＲｅｇＡ〜ＲｅｇＢの領域が選択されてアクセス領域となり、一方、“０”がセットされた選択回路１０１に対応する内蔵ＲＡＭ１２のＹアドレスの領域が非選択とされて非アクセス領域となる。すなわち、選択回路１０１に設定されたデータに基づいて、アクセス制御回路１５０は内蔵ＲＡＭ１２のアクセス領域を制御する。これにより、内蔵ＲＡＭ１２のうち選択された領域では、シフトレジスタ１４との間で上記第１の実施形態と同様にして表示用データが入出力されてスクロールが行われ、一方、内蔵ＲＡＭ１２のうち非選択領域では、シフトレジスタ１４との間で表示用データが入出力されずスクロールは行われない。
【００５４】
（２）縦方向の部分スクロール
図８に示すように、比較回路１０２は、レジスタ１０４に設定されたスクロールさせたい内蔵ＲＡＭ１２のＸアドレスＲｅｇＣ〜ＲｅｇＤの値とＺカウンタ１３の内容とを比較する。両者が一致した領域が選択されてアクセス領域となり、他の領域は非選択とされて非アクセス領域となる。すなわち、Ｚカウンタ１３から出力される内容に同期して内蔵ＲＡＭ１２がアクセスされる際に、Ｚカウンタ１３の内容がＲｅｇＣ〜ＲｅｇＤの範囲にある場合には、Ｚカウンタ１３の内容はイネーブルとされてＲＡＭ１２のアクセスが行われる。一方、Ｚカウンタ１３の内容がＲｅｇＣ〜ＲｅｇＤの範囲外である場合には、Ｚカウンタ１３の内容はディスエーブルとされて内蔵ＲＡＭ１２のアクセスは行われない。これにより、内蔵ＲＡＭ１２のうち選択された領域では、シフトレジスタ１４との間で上記第１の実施形態と同様にして表示用データが入出力されてスクロールが行われ、一方、内蔵ＲＡＭ１２の非選択領域では、シフトレジスタ１４との間で表示用データが入出力されずスクロールは行われない。
【００５５】
第２の実施形態によれば、第１の実施形態と同様の効果を得られ、さらに、ディスプレイドライバにより、表示画面を選択的にスクロールさせることが可能となる。また、画面の複雑なスクロール制御においても、システムドライバとシステムのＣＰＵとの間のデータトラフィックを抑えることができ、システムの負荷が軽減される。
【００５６】
なお、上記の実施形態において、システムドライバは、１チップ上に構成されてもよく、またコモンドライバとセグメントドライバとから構成されてもよく、その場合、上記の内蔵ＲＡＭ１２、Ｚカウンタ１３、ラッチシフトレジスタ１４、アクセス制御回路１５、１５０などは、例えばセグメントドライバと同一チップに集積化されてもよい。
【００５７】
また、上記の実施形態における画像表示部には、例えば、LCD（Liquid Crystal Display）、EL（Electro Luminescence）などの他、ディスプレイに画像を表示可能な装置一般を適用することができる。
【００５８】
また、上記の実施形態においては、画面の表示制御のうちスクロールの場合で説明したが、本発明はこの他、点滅、反転表示、カラー制御、階調制御など、あらゆる画面表示制御に幅広く応用することができる。
【００５９】
本発明の上記で説明された各実施形態は、本発明の要旨を限定するものではなく、本発明は、上記で説明された各実施形態以外にも多様な実施形態を包含するものである。
【００６０】
【発明の効果】
本発明によれば、液晶表示画面などの表示装置を駆動するシステムドライバに表示画面のスクロール機能を備えるようにしたので、表示画面を駆動する際のＣＰＵの負担を低減することが可能となる。
【図面の簡単な説明】
【図１】本発明の第１の実施形態に係るＲＡＭ内蔵型システムドライバの構成を示す図である。
【図２】第１の実施形態における横方向（水平方向）のスクロールでの表示用データの入出力の様子を示す図である。
【図３】第１の実施形態における縦上方向（垂直上方向）のスクロールでの表示画面の遷移を示す図である。
【図４】第１の実施形態における縦下方向（垂直下方向）のスクロールでの表示画面の遷移を示す図である。
【図５】第１の実施形態における縦下方向（垂直下方向）のスクロールでの表示画面の遷移を示す図である。
【図６】本発明の第２の実施形態に係るＲＡＭ内蔵型システムドライバの構成を示す図である。
【図７】第２の実施形態において、表示画面の横方向（水平方向）の領域を選択的にスクロールさせる際の画面選択の状態を示す図である。
【図８】第２の実施形態において、表示画面の縦方向（垂直方向）の領域を選択的にスクロールさせる際の画面選択の様子を示す図である。
【符号の説明】
１０  システムドライバ
１２  内蔵ＲＡＭ
１３  Ｚカウンタ
１４  ラッチシフトレジスタ
１５、１５０  アクセス制御回路
１６  切替回路
２０  表示画面
３０    ＣＰＵ
１０１  選択回路
１０２  比較回路
１０３，１０４  レジスタ
【図１】
0003936141.tif 000002
【図２】
0003936141.tif 000003
【図３】
0003936141.tif 000004
【図４】
0003936141.tif 000005
【図５】
0003936141.tif 000006
【図６】
0003936141.tif 000007
【図７】
0003936141.tif 000008
【図８】
0003936141.tif 000009